(57)【特許請求の範囲】
【請求項１】
シートに画像を形成する画像形成部と、
前記シートにステイプルするステイプラ、前記ステイプラの針の有無を検出する針検出センサ、ドアの開閉を検出するドア開閉センサ、及び電源がＯＦＦされる前の前記針の有無を示す針有無信号を格納する記憶装置を備え、電源がＯＦＦからＯＮになり、前記針検出センサによって現在針があると判定したにもかかわらず前記針有無信号が、前記針がないことを示し、前記ドア開閉センサによって前記ドアの開閉が行われたと判定した場合に、テストステイプルの要求を行う後処理装置と、
を備える画像形成装置。
【請求項２】
情報を入出力するコントロールパネルをさらに備え、
前記後処理装置は、
電源がＯＦＦからＯＮになり、前記針検出センサによって現在針があると判定したにもかかわらず前記針有無信号が、前記針がないことを示す場合に、前記コントロールパネルにユーザに対してドアの開閉を促す表示を行い、前記ドアの開閉が行われたと判定した場合に、テストステイプルの要求を行う請求項１記載の画像形成装置。
【請求項３】
シートにステイプルするステイプラと、
前記ステイプラの針の有無を検出する針検出センサと、
ドアの開閉を検出するドア開閉センサと、
電源がＯＦＦされる前の前記針の有無を示す針有無信号を格納する記憶装置と、
電源がＯＦＦからＯＮになり、前記針検出センサによって現在針があると判定したにもかかわらず前記針有無信号が、前記針がないことを示し、前記ドア開閉センサによって前記ドアの開閉が行われたと判定した場合に、テストステイプルの要求を行う制御部と、
を備える後処理装置。
【請求項４】
情報を入出力するコントロールパネルをさらに備え、
電源がＯＦＦからＯＮになり、前記針検出センサによって現在針があると判定したにもかかわらず前記針有無信号が、前記針がないことを示す場合に、前記コントロールパネルにユーザに対してドアの開閉を促す表示を行い、前記ドアの開閉が行われたと判定した場合に、テストステイプルの要求を行う請求項３記載の後処理装置。
【請求項５】
電源がＯＦＦからＯＮになり、ステイプラの針の有無を検出する針検出センサによって現在針があると判定したにもかかわらず、電源がＯＦＦされる前の前記針の有無を示す針有無信号が、前記針がないことを示し、ドアの開閉を検出するドア開閉センサによって前記ドアの開閉が行われたと判定した場合に、テストステイプルの要求を行う後処理装置のステイプル方法。
【発明の詳細な説明】
【技術分野】
【０００１】
本発明の実施形態は、画像形成装置、後処理装置、及び後処理装置のステイプル方法に関する。
【背景技術】
【０００２】
従来から後処理装置を備えた画像形成装置が販売されている。この後処理装置は、画像形成装置によって画像形成されたシートに、ステイプル、パンチ、中折などの処理を行う。
【０００３】
ステイプラを備えた後処理装置は、ステイプルの針が無くなると針を補充すべき旨のメッセージをコントロールパネルに表示してステイプル処理を中断する。そして、ユーザによって針が補充され、ドアが締められた後に、テストステイプルを行った後、処理を再開する。
【０００４】
従来の後処理装置は、ユーザがドアを開けて針を補充し、ドアを閉める前に電源をＯＦＦにすると、次に電源を投入したときにユーザに何も通知せずにテストステイプルを開始していた。
【０００５】
従って、何も知らずに後処理装置の電源をＯＮしたユーザは、後処理装置がいきなりテストステイプルを行うため、故障ではないかと不信感を抱く場合がある。
【先行技術文献】
【特許文献】
【０００６】
【特許文献１】特開２００５−２０２０１７号公報
【発明の概要】
【発明が解決しようとする課題】
【０００７】
従って、ステイプルの針が無くなったとき、ユーザがドアを開けて針を補充し、ドアを閉める前に電源をＯＦＦにした場合でも、次に電源をＯＮしてもユーザを驚かせずにテストステイプルを行える画像形成装置、後処理装置、及び後処理装置のステイプル方法が求められている。
【課題を解決するための手段】
【０００８】
上記の課題を解決するために、本発明の一実施形態は、シートに画像を形成する画像形成部と、シートにステイプルするステイプラ、ステイプラの針の有無を検出する針検出センサ、ドアの開閉を検出するドア開閉センサ、及び電源がＯＦＦされる前の針の有無を示す針有無信号を格納する記憶装置を備え、電源がＯＦＦからＯＮになり、針検出センサによって現在針があると判定したにもかかわらず針有無信号が、針がないことを示し、ドア開閉センサによってドアの開閉が行われたと判定した場合に、テストステイプルの要求を行う後処理装置と、を備える画像形成装置を提供する。
【図面の簡単な説明】
【０００９】
【図１】画像形成装置の構成を示す図である。
【図２】画像形成装置及び後処理装置の構成を示すブロック図である。
【図３】テストステイプルチェックの動作を示すフローチャートである。
【図４】後処理装置の動作を示すフローチャートである。
【発明を実施するための形態】
【００１０】
以下、画像形成装置、後処理装置、及び後処理装置のステイプル方法の一実施形態について、図面を用いて詳細に説明する。
【００１１】
本実施形態の画像形成装置は、シートに画像を形成する画像形成部と、シートにステイプルするステイプラ、ステイプラの針の有無を検出する針検出センサ、ドアの開閉を検出するドア開閉センサ、及び電源がＯＦＦされる前の針の有無を示す針有無信号を格納する記憶装置を備え、電源がＯＦＦからＯＮになり、針検出センサによって現在針があると判定したにもかかわらず針有無信号が、針がないことを示し、ドア開閉センサによってドアの開閉が行われたと判定した場合に、テストステイプルの要求を行う後処理装置と、を備える。
【００１２】
図１は、本実施形態の画像形成装置１の構成を表す図である。図１に示すように、画像形成装置１は、自動原稿送り装置１１と、画像読取部１２と、画像形成部１３と、給紙ユニット１５と、シート搬送機構１８と、制御部１９と、を含む。
【００１３】
自動原稿送り装置１１は、画像形成装置１の本体上部に開閉可能に設置される。自動原稿送り装置１１は、原稿を一枚ずつ給紙トレイから取り出し、画像読取部１２の原稿読取位置へ搬送する。  画像読取部１２は自動原稿送り装置１１によって搬送される原稿の画像を読み取る。画像読取部１２は、自動原稿送り装置１１が上方に回動された場合、ユーザが載置台の上に置いた原稿を読み取っても良い。
【００１４】
画像読取部１２は、原稿に露光する露光ランプと第１の反射ミラーを備えるキャリッジと、このキャリッジの動きに合わせて動く複数の第２の反射ミラーと、レンズブロックと、画像読取センサのＣＣＤ（Charge Coupled Device）と、を備える。
【００１５】
キャリッジは原稿読取部に静止して、あるいは原稿台の下を往復移動して、原稿が反射した露光ランプの光を第１の反射ミラーに反射させる。複数の第２の反射ミラーは第１の反射ミラーの反射光をレンズブロックに反射させる。レンズブロックはこの反射光の倍率を変更し、ＣＣＤに出力する。ＣＣＤは入射光を電気信号に変換して画像信号として画像形成部１３に出力する。
【００１６】
画像形成部１３は、斜めに搬送されたシートの幅方向の辺がシート搬送方向に平行になるようにシートの向きを補正するレジストローラ１３Ａを備える。
【００１７】
画像形成装置１は、レジストローラ１３Ａによって向きが補正されたシートに画像形成部１３によって画像形成する。
【００１８】
画像形成部１３の画像形成方法は問わない。画像形成部１３の画像形成方法は、例えば、電子式、インクジェット式などの方式から選択することができる。
【００１９】
電子式の場合、画像形成部１３は、イエローＹ、マゼンダＭ、シアンＣ、及びブラックＫごとに、レーザー照射ユニット１３Ｄと、静電潜像担持体である感光体ドラム１３Ｂと、現像材供給ユニット１３Ｃと、転写部１４と、を備える。
【００２０】
レーザー照射ユニット１３Ｄは画像信号に基づいて感光体ドラム１３Ｂにレーザー光を照射し、感光体ドラム１３Ｂ上に静電潜像を形成する。現像材供給ユニット１３Ｃは現像材を感光体ドラム１３Ｂに供給し、静電潜像から現像材像を形成する。
【００２１】
給紙ユニット１５は、給紙カセットから一枚ずつシートを取り出してシート搬送機構１８に引き渡す。シート搬送機構１８はシートを転写部１４に搬送する。
【００２２】
転写部１４は、転写ベルト１４Ｂと、転写ローラ１４Ａと、を備える。像担持体としての転写ベルト１４Ｂは、感光体ドラム１３Ｂからの現像材像の転写を受けて担持する。転写ローラ１４Ａは電圧を印加して転写ベルトの現像材像を搬送されてきたシートに転写する。
【００２３】
画像形成装置１は、転写部１４のシート搬送方向下流に定着装置１４Ｃを備える。定着装置１４Ｃは、現像材像を加熱及び加圧してシートに定着させる。
【００２４】
インクジェット式の場合、画像形成部１３はシートにインクを吹き付けるヘッドを備える。
【００２５】
ヘッドは、極性の異なるピエゾ素子が長手方向に貼り付けられ、この貼り付けられたピエゾ素子の組が櫛の歯状に並べられるインク供給室と、インク吐出孔を有し、インク供給室を覆うカバーを備える。画像形成部１３はこのヘッドに電圧を交互に印加することによりインク供給室を変形させ、インクの吸引とインク吐出孔からの吐出を繰り返す。吐出されたインクはシートに付着し、画像形成がなされる。
【００２６】
後処理装置２は、シートを搬送するシート搬送機構２３と、シートを所定枚数蓄積してステイプルするステイプラ２２と、シートを所定枚数蓄積してステイプルし、中折りする中折りユニット２４と、を備える。
【００２７】
後処理装置２は、画像形成装置１の画像形成されたシートを排出するためのシート排出部１６Ａに隣接して設置される。後処理装置２は画像形成装置１から受け取ったシートにパンチを施すパンチユニットを備える。後処理装置２はシートにパンチユニットによってパンチを施し、又はパンチせずに後続する後処理装置２にシートを引き渡す。
【００２８】
図２は、画像形成装置１及び後処理装置２の構成を示すブロック図である。図２に示すように、画像形成装置１は、画像形成装置１全体を統括制御する制御部１９であるＭＦＰ制御部２０１と、記憶装置であるＲＯＭ，ＲＡＭ２０２Ａと、画像処理を行う画像処理部２０４と、を備える。
【００２９】
ＭＦＰ制御部２０１は画像形成系統の各部を制御するプリント制御部２０５と、画像読み込み系統の各部を制御するスキャン制御部２０９と、駆動部２１３を制御する駆動コントローラ２１２と、に接続する。
【００３０】
電子式の場合、プリント制御部２０５は、感光体ドラム１３Ｂに静電潜像を形成するプリントエンジン２０６と、現像材像を形成するプロセスユニット２０７と、を制御する。
【００３１】
スキャン制御部２０９は、ＣＣＤ２１１を駆動させるＣＣＤ駆動回路２１０を制御する。ＣＣＤ２１１からの信号は画像形成部１３に出力される。
【００３２】
ＭＦＰ制御部２０１、プリント制御部２０５、並びにスキャン制御部２０９は演算装置であるＣＰＵを含む。
【００３３】
ＭＦＰ制御部２０１は、後処理装置２を制御するメイン制御部３０１に接続する。
【００３４】
後処理装置２は、メイン制御部３０１と、ＲＯＭ、ＲＡＭ、フラッシュＲＯＭなどの記憶装置３０２と、シートにステイプルを施すステイプラ２２と、ステイプラ２２の針の有無を検出する針検出センサ３０４と、後処理装置２のドアの開閉を検出するドア開閉センサ３０５と、後処理装置２のシート搬送機構２３を駆動させる搬送機構駆動部３０６と、を備える。
【００３５】
記憶装置３０２は、各種のステイタスを格納するステイタス格納部３０２Ａを備える。ステイタス格納部３０２Ａは、例えば、電源をＯＦＦからＯＮにしたときに行う電源ＯＮ時チェックが実行中である時にＯＮとなり、実行していない時にＯＦＦとなる電源ＯＮ時チェックフラグと、電源がＯＦＦされる前のステイプラ２２の針の有無を格納する針有無信号と、ドアの開閉を示すドア開閉フラグと、テストステイプルを行うか否かを示すテストステイプル要求と、を格納する。
【００３６】
図３は、本実施形態のテストステイプルチェックの動作を示すフローチャートである。図３に示すように、後処理装置２は、電源がＯＦＦからＯＮになり、現在針があるにもかかわらず電源がＯＦＦされる前の針の有無を示す針有無信号が「針なし」である場合に、コントロールパネル２０３にユーザに対してドアの開閉を促す表示を行い、ドアの開閉が行われたと判定した場合に、テストステイプル要求を行う。以下具体的に説明する。
【００３７】
ステップ４０１において、後処理装置２は針検出センサ３０４によって現在針があるかないかを判定する。後処理装置２は、針がないと判定した場合、ステップ４０７に進み、針があると判定した場合、ステップ４０２に進む。
【００３８】
ステップ４０２において、後処理装置２は針有無信号が「針なし」であるかを判定する。後処理装置２は、針有無信号が「針なし」であると判定した場合、ステップ４０３に進み、「針なし」でないと判定した場合、ステップ４０８に進む。
【００３９】
ステップ４０３において、後処理装置２は電源ＯＮ時チェックフラグによって、電源ＯＮ時チェック中であるかを判定する。後処理装置２は、電源ＯＮ時チェック中であると判定した場合、ステップ４０４に進み、電源ＯＮ時チェック中でないと判定した場合、ステップ４０９に進む。
【００４０】
ステップ４０４において、後処理装置２は、ユーザに対してドアの開閉を促すドア開閉要求をコントロールパネル２０３に表示する。
【００４１】
ステップ４０５において、後処理装置２はドア開閉センサ３０５によってドアが開いたかを判定する。後処理装置２はドアが開いたと判定した場合、ステップ４０６に進み、ドアが開いていないと判定した場合、ステップ４０５に戻る。
【００４２】
ステップ４０６において、後処理装置２はドア開閉センサ３０５によってドアが閉じたかを判定する。後処理装置２はドアが閉じたと判定した場合、ステップ４０９に進み、ドアが閉じていないと判定した場合、ステップ４０６に戻る。
【００４３】
ステップ４０７において、後処理装置２は、針有無信号に「針なし」を格納してステップ４１１に進む。
【００４４】
ステップ４０８において、後処理装置２は、針有無信号に「針有」を格納してステップ４１１に進む。
【００４５】
ステップ４０９において、後処理装置２は、針有無信号に「針有」を格納してステップ４１０に進む。
【００４６】
ステップ４１０において、後処理装置２は、ステイプル要求に「要求有」を格納して処理を終わる。
【００４７】
ステップ４１１において、後処理装置２は、ステイプル要求に「要求なし」を格納して処理を終わる。
【００４８】
図４は、後処理装置２の動作を示すフローチャートである。図４に示すように、ステップ５０１において、後処理装置２は、電源が投入されると電源ＯＮ時チェックフラグをＯＮにする。
【００４９】
ステップ５０２において、後処理装置２は図３を用いて説明したテストステイプルチェックを行う。
【００５０】
ステップ５０３において、後処理装置２は、電源ＯＮ時チェックフラグをＯＦＦにする。
【００５１】
ステップ５０４において、後処理装置２は、テストステイプル要求が「要求有」であるかを判定する。後処理装置２は、テストステイプル要求が「要求有」であると判定した場合、ステップ５０５に進み、「要求有」であると判定しない場合、ステップ５０６に進む。
【００５２】
ステップ５０６において、後処理装置２は通常のステイプルＪＯＢを行う。
【００５３】
ステップ５０７において、後処理装置２は針検出センサ３０４によって針があるかを判定する。後処理装置２は、針があると判定した場合、ステップ５０６に戻り、針がないと判定した場合、ステップ５０８に進む。
【００５４】
ステップ５０８において、後処理装置２はステイプル要求に「要求なし」をセットする。
【００５５】
ステップ５０９において、後処理装置２はコントロールパネル２０３にユーザに針の補充を促す針補充要求を表示する。
【００５６】
ステップ５１０において、後処理装置２はドア開閉センサ３０５によってドアが開から閉に変化したかを判定する。後処理装置２はドアが開から閉に変化したと判定した場合、ステップ５１１に進み、ドアが開から閉に変化したと判定しない場合、ステップ５１０に戻る。
【００５７】
ステップ５１１において、後処理装置２はテストステイプルチェックを行い、ステップ５０４に戻る。
【００５８】
以上述べたように、本実施形態の画像形成装置１は、シートに画像を形成する画像形成部１３と、ステイプラ２２、ステイプラ２２の針の有無を検出する針検出センサ３０４、ドアの開閉を検出するドア開閉センサ３０５、及び電源がＯＦＦされる前の針の有無を示す針有無信号を格納する記憶装置３０２を備え、電源がＯＦＦからＯＮになり、針検出センサ３０４によって現在針があると判定したにもかかわらず針有無信号が「針なし」である場合に、コントロールパネル２０３にユーザに対してドアの開閉を促す表示を行い、ドアの開閉が行われたと判定した場合に、テストステイプル要求を行う後処理装置２と、を備える。
【００５９】
従って、ステイプラ２２の針が無くなったとき、ユーザがドアを開けて針を補充し、ドアを閉める前に電源をＯＦＦにした場合でも、次に電源をＯＮしてもユーザを驚かせずにテストステイプルを行えるという効果がある。
【００６０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１：画像形成装置
２：後処理装置
３０２：記憶装置
３０４：針検出センサ
３０５：ドア開閉センサ
【図１】
0005571811.tif 000002
【図２】
0005571811.tif 000003
【図３】
0005571811.tif 000004
【図４】
0005571811.tif 000005